(57)【特許請求の範囲】
【請求項１】
水を後方に排出する便器と、
前記便器と前記便器の後方に位置する排水管とを接続する排水継手と、を備え、
前記排水継手は、前記便器に接続される便器側入口と、前記排水管に接続される排水管側出口と、前記便器側入口から前記排水管側出口までの管路に連通するとともに上方に向かって延出した延出管と、前記延出管の上端において上方に開口する掃除口と、前記掃除口から挿入された掃除器具を前記便器側へガイドするガイド部と、を有し、
前記便器側入口と前記排水管側出口とを結ぶ軸線の周方向に前記延出管が回動することを特徴とするトイレユニット。
【請求項２】
前記排水管および前記排水継手を収納し、開口部を有するケーシングをさらに備え、
前記開口部は、前記ケーシングの上面および前記ケーシングの前面の少なくとも一部に設けられ、
前記開口部の少なくとも一部は、前記掃除口よりも上方に設けられていることを特徴とする請求項１に記載のトイレユニット。
【請求項３】
前記延出管は、前記排水継手の鉛直上方向から右方向もしくは左方向のどちらか一方に向かって９０°よりも小さい範囲で回動することを特徴とする請求項１または請求項２に記載のトイレユニット。
【発明の詳細な説明】
【技術分野】
【０００１】
本発明の態様は、一般的に、トイレユニットに関する。
【背景技術】
【０００２】
水洗大便器に設けられた排水路は、例えば屈曲した形状を有している。このため、排水路に水洗大便器に流してよい排泄物やトイレットペーパー以外の異物を流してしまったり、大量のトイレットペーパーを流してしまったりすると、その異物やトイレットペーパーが排水配管の途中に詰まることがある。これに対して、排水路に異物などが詰まった場合に、水洗大便器を壁や床から取り外すことなく異物などを取り除くために、側面に掃除口が設けられた水洗大便器がある（特許文献１）。特許文献１に記載された掃除口は、水洗大便器に設けられた排水路に連通している。このような掃除口を設けることによって、便器を壁や床から取り外すことなく、排水路内に詰まった異物などを除去することができる。
【０００３】
しかし、通常、水洗大便器の横にはトイレルームの側壁が設けられている。このため、水洗大便器の側面に設けられた掃除口を用いて異物などを除去する際には、水洗大便器とトイレルームの側壁との間の狭い空間において、作業が行われることとなる。このため、作業者が排水路内の異物などを除去するときの作業性が悪いという問題がある。
また、掃除口は水洗大便器の側面の片側にのみ開口している。このため、トイレブース内のレイアウトによっては、作業空間が狭くなってしまい、掃除口から排水路内に詰まった異物などを除去することが困難であるという問題もある。
【先行技術文献】
【特許文献】
【０００４】
【特許文献１】特開２０１３−１８９８１７号公報
【発明の概要】
【発明が解決しようとする課題】
【０００５】
本発明は、かかる課題の認識に基づいてなされたものであり、高い作業性を実現可能なトイレユニットを提供することを目的とする。
【課題を解決するための手段】
【０００６】
本発明の一態様に係るトイレユニットは、水を後方に排出する便器と、便器と便器の後方に位置する排水管とを接続する排水継手と、を備え、排水継手は、便器に接続される便器側入口と、排水管に接続される排水管側出口と、便器側入口から排水管側出口までの管路に連通するとともに上方に向かって延出した延出管と、延出管の上端において上方に開口する掃除口と、前記掃除口から挿入された掃除器具を前記便器側へガイドするガイド部と、を有し、便器側入口と排水管側出口とを結ぶ軸線の周方向に延出管が回動することを特徴とする。
【０００７】
この構成によれば、排水継手には、延出管の上端において上方に開口する掃除口が設けられているので、排水継手の上方から異物などにアプローチすることができる。また、便器側入口と排水管側出口とを結ぶ軸線の周方向に延出管が回動するので、トイレユニット内部のレイアウトに合わせて、延出管を右方向もしくは左方向のどちらか一方に回動させて、異物などにアプローチすることができる。そのため、掃除口を用いて作業する際の作業性を向上させることができる。
【０００８】
本発明の一態様に係るトイレユニットにおいて、好ましくは、排水管および排水継手を収納し、開口部を有するケーシングをさらに備え、開口部は、ケーシングの上面およびケーシングの前面の少なくとも一部に設けられ、開口部の少なくとも一部は、掃除口よりも上方に設けられたことを特徴とする。
【０００９】
この構成によれば、開口部が、ケーシングの上面およびケーシングの前面の少なくとも一部に設けられているため、便器や排水継手から異物などを除去する際、ケーシングの上方または正面から異物などにアプローチすることができる。このため、作業性を向上させることができる。また、排水継手の掃除口に対するいたずらを防止することができる。
【００１０】
本発明の一態様に係るトイレユニットにおいて、好ましくは、延出管は、排水継手の鉛直上方向から右方向もしくは左方向のどちらか一方に向かって９０°よりも小さい範囲で回動することを特徴とする。
【００１１】
この構成によれば、延出管は、排水継手の鉛直上方向から右方向もしくは左方向のどちらか一方に向かって約９０°よりも小さい範囲で回動するので、排水継手の側面よりも延出管が下方に配置されることが抑制される。そのため、排水継手内の水が掃除口および延出管を介して外部へ漏れることを抑制することができる。
【発明の効果】
【００１２】
本発明によれば、高い作業性を実現することができるトイレユニットが提供される。
【図面の簡単な説明】
【００１３】
【図１】本発明の一実施形態に係るトイレユニットを表す斜視図である。
【図２】本発明の一実施形態に係るトイレユニットを表す斜視図である。
【図３】本発明の一実施形態に係るトイレユニットを表す断面図である。
【図４】本発明の一実施形態に係る排水継手を例示する斜視図である。
【図５】本発明の一実施形態に係る排水継手の断面図である。
【図６】本発明の一実施形態に係る排水継手を前方側から見たときの正面図である。
【図７】本発明の一実施形態に係る延出管を右に回動させたときの排水継手を前方側から見たときの正面図である。
【図８】本発明の一実施形態に係る延出管を左に回動させたときの排水継手を前方側から見たときの正面図である。
【図９】本発明の他の実施形態に係るトイレユニットを表す断面図である。
【図１０】本発明の他の実施形態に係るトイレユニットを表す断面図である。
【図１１】本発明の他の実施形態に係るトイレユニットを表す断面図である。
【図１２】本発明の他の実施形態に係る排水継手の断面図である。
【図１３】本発明の他の実施形態に係る排水継手の上面図である。
【図１４】本発明の他の実施形態に係る排水継手の斜視図である。
【図１５】本発明の他の実施形態に係るトイレユニットを表す斜視図である。
【図１６】本発明の他の実施形態に係るトイレユニットを表す斜視図である。
【発明を実施するための形態】
【００１４】
以下、本発明の実施の形態について添付図面を参照しながら説明する。なお、各図面中、同様の構成要素には同一の符号を付して詳細な説明は適宜省略する。
【００１５】
＜トイレユニットの構成＞
まず、図１〜図３を参照して、本発明の実施形態に係るトイレユニットについて説明する。
【００１６】
図１および図２は、本発明の一実施形態に係るトイレユニットを表す斜視図である。図１および図２は、本実施形態に係るトイレユニット１０を斜め上方から眺めた斜視図である。図２では、説明の便宜上、便器、および、後述するケーシングの一部、を省略している。
図３は、本発明の一実施形態に係るトイレユニットを表す断面図である。図３では、説明の便宜上、ケーシング５０の一部を省略している。
【００１７】
図１に示すように、本実施形態に係るトイレユニット１０は、洋式腰掛水洗大便器（以下説明の便宜上、単に「便器」と称する）２０と、排水継手３０（図２参照）と、を備える。さらに、本実施形態に係るトイレユニット１０は、ケーシング５０を備える。但し、本実施形態に係るトイレユニット１０は、必ずしもケーシング５０を備えていなくともよい。
【００１８】
排水継手３０は、掃除口４０（図３、図４参照）を有する。また、排水継手３０は、延出管４５（図３、図４参照）を有する。掃除口４０と延出管４５については後述する。
【００１９】
なお、本願明細書においては、通常使用時に便器２０の便座２１に座った使用者からみて上方を「上方」とし、通常使用時に便座２１に座った使用者からみて下方を「下方」とする。また、通常使用時に便座２１に座った使用者からみて前方を「前方」とし、通常使用時に便座２１に座った使用者からみて後方を「後方」とする。あるいは、便器２０の方向を向いて便器２０の前に立った使用者からみて手前側を「前方」とし、便器２０の方向を向いて便器２０の前に立った使用者からみて奥側を「後方」とする。また、便器２０の方向を向いて便器２０の前に立った使用者からみて右側を「右側方（右方）」とし、便器２０の方向を向いて便器２０の前に立った使用者からみて左側を「左側方（左方）」とする。
【００２０】
ケーシング５０は、前板５１と上板５２とを有する。前板５１は、トイレルームの後方の壁３１０と便器２０との間に設けられている。上板５２は、前板５１の上方と壁３１０との間に設けられている。ケーシング５０は、壁３１０、床３２０、前板５１および上板５２によって区画された空間内において、排水継手３０の少なくとも一部や排水管６０等を収納する。
【００２１】
ケーシング５０は、点検口５３（開口部）を有する。点検口５３は、ケーシング５０の上面（例えば上板５２）および前面（例えば前板５１）の少なくとも一部に設けられる。なお、この例では、点検口５３は、前板５１に設けられている。点検口５３の少なくとも一部は、排水継手３０および排水管６０よりも高い位置に設けられる。点検口５３には、図示しない蓋が設けられる。通常使用時において、点検口５３は、この蓋によって塞がれており、ケーシング５０の内部は視認されない。例えば、ケーシング５０内部の配管や各種装置を点検する必要が生じた場合に、作業者は、蓋を外し、点検口５３からケーシング５０の内部を点検することができる。
【００２２】
図２に示すように、ケーシング５０の内部には、排水管６０、排水継手３０、支持体７０、タンク７１、洗浄管７２等が収納されている。排水管６０は、ケーシング５０の内部において、左右方向に延在している。排水管６０の上方には、左右方向に延在するその他の配管（第１の給水管７３、第２の給水管７４、通気管７５）が設けられている。例えば、第１の給水管７３は、上水を供給する。例えば、第２の給水管７４は、再生水を供給する。
【００２３】
支持体７０は、便器２０を支持する部材であり、２本の柱状部を有している。２本の柱状部の間において、排水継手３０が排水管６０から前方に延びている。排水継手３０は、便器２０と、便器２０の後方に位置する排水管６０と、を接続する管状の部材である。
【００２４】
タンク７１および洗浄管７２は、排水継手３０の上方に設けられている。洗浄管７２の一端は、タンク７１と接続され、他端は、便器２０と接続されている。タンク７１は、水を貯留し、貯留された水は、洗浄管７２を介して便器２０のボウル面に導かれる。
【００２５】
例えば、排水継手３０の左右方向における中心位置は、便器２０の左右方向における中心位置と一致するように設けられている。また、例えば、洗浄管７２の左右方向における中心位置は、便器２０の左右方向における中心位置と一致するように設けられている。
【００２６】
便器２０は支持体７０によって、床３２０から浮いた状態で支持されている。便器２０は、水を後方に排出する。例えば、便器２０は、壁掛便器である。本願明細書において「壁掛便器」という範囲には、壁３１０に支持された便器だけではなく、支持体７０に支持された便器、およびケーシング５０の前板５１に支持された便器が含まれるものとする。なお、実施形態においては、便器２０は壁掛便器でなくてもよい。
【００２７】
図３に示すように、便器２０は、汚物を受けるボウル部２２と、ボウル部２２の下方に接続された排水管路２３と、を有する。排水管路２３は、上昇管部２４と、後側管部２５と、を有する。上昇管部２４は、排水管路２３のうち、ボウル部２２の下方から上方向に延びる部分である。後側管部２５は、排水管路２３のうち、上昇管部２４から後方へ延びる部分である。
【００２８】
排水継手３０の一端は、便器２０の後側管部２５と接続されており、排水継手３０の他端は、排水管６０に接続されている。排水継手３０によって、便器２０から排水管６０へ向かう下り傾斜が形成されている。本実施形態に係る排水継手３０には、掃除口４０および延出管４５が設けられている。掃除口４０および延出管４５は、ケーシング５０の点検口５３の少なくとも一部よりも低い位置に設けられている。また、延出管４５の上端には、図示しない蓋が設けられる。
【００２９】
＜排水継手の構成＞
つぎに、図４および図５を参照して、本発明の実施形態に係る排水継手について説明する。
【００３０】
図４は、本発明の一実施形態に係る排水継手を例示する斜視図である。図５は、本発明の一実施形態に係る排水継手の断面図である。
なお、図５において、便器側入口３１ａと排水管側出口３４ａとを結ぶ軸線がＰ１で示されている。
【００３１】
図４に示すように、排水継手３０は、便器２０の後側管部２５と接続される接続部３１と、接続部３１から水平方向に延びる水平部３２と、水平部３２の下流端から下方へ傾斜するように形成された傾斜部３３（図５参照）と、を有する。
さらに、排水継手３０は、可撓性の継手部３４を有する。継手部３４は、傾斜部３３の下流端に設けられ、排水管６０に接続される。継手部３４の材料には塩化ビニルなどの樹脂を用いることができ、継手部３４の形状を蛇腹状にすることができる。これにより、排水管６０と便器２０とを容易に接続することができる。
【００３２】
図５に示すように、水平部３２には掃除口４０と延出管４５が設けられている。延出管４５は、便器側入口３１ａから排水管側出口３４ａまでの管路に連通するとともに、水平部３２の上面から上方に向かって延出した管状の部分である。延出管４５の上端には、上方に向かって開口する掃除口４０が設けられている。なお、ここで「上方」とは、通常使用時に便器２０の便座２１に座った使用者からみた鉛直上方だけでなく、斜め上方も含む。例えば、管状の延出管４５の中心軸は、掃除口４０の中心を通るように設けられている。
【００３３】
接続部３１の上流端には便器側入口３１ａが設けられており、便器側入口３１ａは、後側管部２５と連通している。また、継手部３４の下流端には排水管側出口３４ａが設けられており、排水管側出口３４ａは、排水管６０と連通している。便器側入口３１ａの中心と排水管側出口３４ａの中心とを結ぶ軸線Ｐ１は、排水継手３０の管路内中心を通るように形成されている。つまり、軸線Ｐ１は、接続部３１および水平部３２においては床面３２０と略水平に形成され、傾斜部３３および継手部３４においては上流から下流に向かって水平方向から下方へ傾斜するように形成されている。
【００３４】
接続部３１、水平部３２と傾斜部３３は別体で形成されている。接続部３１の下流端部には、図５における後方から前方に向かって凹む凹部が軸線Ｐ１（水平部３２の中心軸）の周方向に形成されており、傾斜部３３の上流端部には、図５における前方に向かって凹む凹部が軸線Ｐ１（水平部３２の中心軸）の周方向に形成されている。一方、水平部３２の上流端部には、図５における後方から前方に向かって突設した凸部が軸線Ｐ１（水平部３２の中心軸）の周方向に形成されており、水平部３２の下流端部には、図５における前方から後方に向かって突設した凸部が軸線Ｐ１（水平部３２の中心軸）の周方向に形成されている。そして、接続部３１および傾斜部３３の凹部と、水平部３２の凸部と、を係合させることにより、接続部３１と水平部３２、水平部３２と傾斜部３３が接続される。これにより、接続部３１および傾斜部３３を固定した状態で、軸線Ｐ１（水平部３２の中心軸）の周方向に水平部３２を回動させることが可能である。つまり、軸線Ｐ１（水平部３２の中心軸）の周方向に延出管４５を回動させることが可能である。
【００３５】
図４にもどって、傾斜部３３には、延出管４５の回動角度を規制する回動角度規制部３５が設けられている。回動角度規制部３５は、排水継手３０を前方から見たときの左方および右方における傾斜部３３の外周面から外周方向に向かって立ち上がるように形成され、一端が傾斜部３３から水平部３２に向かって延びるように形成されている。この回動角度規制部３５に延出管４５が当接することにより、延出管４５の回動角度が規制される。
【００３６】
ここで、延出管４５は、回動角度規制部３５によって、排水継手３０の鉛直上方向から右方向もしくは左方向のどちらか一方に向かって９０°よりも小さい範囲で回動する。なお、掃除口４０および延出管４５を介して排水継手３０からの水の溢れをより確実に抑制することを考慮すると、排水継手３０の鉛直上方向から右方向もしくは左方向のどちらか一方に向かって４５°よりも小さい範囲で、延出管４５が回動することが好ましい。さらに、掃除口４０および延出管４５を用いて作業することも考慮すると、排水継手３０の鉛直上方向から右方向もしくは左方向のどちらか一方に向かって２５°〜３０°の範囲で、延出管４５が回動することがより好ましい。本実施形態においては、回動角度規制部３５によって、排水継手３０の鉛直上方向から右方向もしくは左方向のどちらか一方に向かって約２５°の範囲で、延出管４５が回動するようになっている。
【００３７】
なお、水平部３２と、接続部３１および傾斜部３３との接続部分からの水漏れを抑制するために、各接続部分にシール部材が設けられていてもよい。
また、回動角度規制部３５は、接続部３１に設けられていてもよい。
さらに、接続部３１および水平部３２を一体に形成し、傾斜部３３のみを固定した状態で、接続部３１と水平部３２ごと延出管４５を回動させるように構成してもよい。
【００３８】
＜動作および作用＞
つぎに、図６〜図８を参照して、本発明の実施形態に係る排水継手の動作および作用について説明する。
【００３９】
図６は、本発明の一実施形態に係る排水継手を前方側から見たときの正面図である。図７は、本発明の一実施形態に係る延出管を右に回動させたときの排水継手を前方側から見たときの正面図である。図８は、本発明の一実施形態に係る延出管を左に回動させたときの排水継手を前方側から見たときの正面図である。
なお、図６〜図８において、延出管４５の中心軸がＣ１で示されている。
【００４０】
延出管４５を鉛直上方に配置させる場合は、図６に示すように、延出管４５の中心軸Ｃ１と、水平方向に直交する鉛直方向とが、一致するように延出管４５を配置させる。
つぎに、延出管４５を鉛直上方向に対して右に傾けて配置させる場合、図７に示すように、軸線Ｐ１（水平部３２の中心軸）を回動軸として、延出管４５および水平部３２を右方向に回動させる。このとき、接続部３１及び傾斜部３２が固定された状態で延出管４５が回動する。例えば、このときの鉛直上方向と延出管の中心軸Ｃ１との角度は、前方から見たときに約２５°程度である。
反対に、延出管４５を鉛直上方向に対して左に傾けて配置させる場合、図８に示すように、軸線Ｐ１（水平部３２の中心軸）を回動軸として、延出管４５および水平部３２を左方向に回動させる。このとき、接続部３１及び傾斜部３２が固定された状態で延出管４５が回動する。例えば、このときの鉛直上方向と延出管の中心軸Ｃ１との角度は、前方から見たときに約２５°程度である。
【００４１】
上述した本発明の一実施形態によるトイレユニット１０によれば、排水継手３０には、延出管４５の上端において上方に開口する掃除口４０が設けられているので、排水継手の上方から異物などにアプローチすることができる。また、便器側入口３１ａと排水管側出口３４ａとを結ぶ軸線Ｐ１の周方向に延出管４５が回動するので、トイレユニット１０内部のレイアウトに合わせて、延出管４５を右方向もしくは左方向のどちらか一方に回動させて、異物などにアプローチすることができる。そのため、掃除口４０を用いて作業する際の作業性を向上させることができる。
【００４２】
また、上述した本発明の一実施形態によるトイレユニット１０によれば、点検口５３（開口部）が、ケーシング５０の上面およびケーシング５０の前面の少なくとも一部に設けられているため、便器２０や排水継手３０から異物などを除去する際、ケーシング５０の上方または正面から異物などにアプローチすることができる。このため、作業性を向上させることができる。
【００４３】
さらに、上述した本発明の一実施形態によるトイレユニット１０によれば、掃除口４０および延出管４５は、ケーシング５０の内部に収納されているため、外部から視認されない。これにより、掃除口４０および延出管４５に対するいたずらを防ぐことができる。また、点検口５３の蓋は、通常ケーシング５０に固定されているため、ケーシング５０内部に設けられた延出管４５には、比較的簡易な蓋を用いることができる。延出管４５の蓋の固定には、特殊な金具などを用いなくてもよい。
【００４４】
また、上述した本発明の一実施形態によるトイレユニット１０によれば、延出管４５は、排水継手３０の鉛直上方向から右方向もしくは左方向のどちらか一方に向かって９０°よりも小さい範囲で回動するので、排水継手３０の水平部３２の側面よりも延出管４５が下方に配置されることが抑制される。そのため、排水継手３０内の水が掃除口４０および延出管４５を介して外部へ漏れることを抑制することができる。
【００４５】
また、図３に表した二点鎖線の延出管４５のように、延出管４５は、便器２０の上面２６（ボウル部２２の上端）よりも上方まで延びていることが望ましい。これにより、便器２０内の異物などによってボウル部２２の上端の位置まで便器２０内に水が溜まったとしても、延出管４５からケーシング５０内に水が溢れることを抑制できる。
【００４６】
＜他の実施形態＞
つぎに、本発明の他の実施形態について、図面を参照しつつ説明する。
【００４７】
図９は、本発明の他の実施形態に係るトイレユニットを表す断面図である。
図９に表したトイレユニット１１において、排水継手３０ａは、排水継手３０と比べて、延出管４５の中心軸が後方に傾斜するように、延出管４５が設けられている。これ以外については、排水継手３０ａの構造は、排水継手３０の構造と同様である。
【００４８】
排水継手３０ａにおいて、延出管４５の中心軸が後方に傾斜しているため、作業者は、掃除器具を便器２０側に向けて挿入しやすい。これにより、異物などが便器２０側へ押し出されるため、誤って異物などを下流側に流してしまうことを防止することができる。また、掃除口４０から取り出せない、もしくは、延出管４５を通らないような大きな異物などであっても、便器のボウル部２２側に押し戻すことができるため、詰まったもののサイズに係わらず、詰まったものを取り出せることになる。
さらに、前述した実施形態と同様に、水平部３１の中心軸の周方向に延出管４５が回動可能である。そのため、作業者は、排水継手３０の左右方向のどちらからでも異物にアプローチすることができる。
【００４９】
図１０は、本発明の他の実施形態に係るトイレユニットを表す断面図である。
図１０に表したトイレユニット１２において、排水継手３０ｂは、排水継手３０と比べて、ガイド部４３をさらに有する。これ以外については、排水継手３０ｂの構造は、排水継手３０の構造と同様である。ガイド部４３は、水平部３２の内部に設けられ、延出管４５の管路内後方側の下端部から便器２０側へ延在する。ガイド部４３は、例えば、半円筒状や板状である。
【００５０】
ガイド部４３が延出管４５の管路内後方側の下端部から便器２０側へ向かって延在しているため、便器内の異物などを取り除く際に、ガイド部４３に沿った便器２０に向かう方向に、掃除器具を挿入することができる。これにより、異物などが便器２０側へ押し出されるため、誤って異物などを下流側に流してしまうことを防止することができる。また、ガイド部４３は水平部３２の内部に設けられているため、延出管４５を周方向に回動させた場合においても、ガイド部４３に沿った便器２０に向かう方向に、掃除器具を挿入することができる。
【００５１】
図１１は、本発明の他の実施形態に係るトイレユニットを表す断面図である。
図１１に表したトイレユニット１３において、排水継手３０ｃは、排水継手３０と比べて、延出管４５の形状において異なる。これ以外については、排水継手３０ｃの構造は、排水継手３０の構造と同様である。
【００５２】
排水継手３０ｃにおいて、延出管４５は管状であり、上部４６と下部４７とを有する。上部４６は、鉛直上方向に向かって延びている。すなわち、上部４６の上端には、掃除口４０が開口しており、上部４６の中心軸は、鉛直上方向と略平行である。下部４７は、上部４６と水平部３２とを接続する部分である。下部４７は、下端から後斜め上方に向かって延びている。下部４７は、上部４６から便器２０へ向かう下り傾斜面を有する。
【００５３】
排水継手３０ｃにおいては、上部４６が鉛直上方向に延びているため、作業者は、排水継手３０ｃの上方から異物などにアプローチしやすい。これにより、作業性を向上させることができる。また、下部４７が便器２０へ向かう下り傾斜面を有するため、掃除器具を便器２０側に向けて挿入しやすい。これにより、異物などが便器２０側へ押し出されるため、誤って異物などを下流側に流してしまうことを防止することができる。
【００５４】
図１２は、本発明の他の実施形態に係る排水継手の断面図であり、図１３は、本発明の他の実施形態に係る排水継手の上面図である。図１２および図１３に表した排水継手３０ｄは、排水継手３０と比べて円筒部材４８を有し、延出管４５および掃除口４０は円筒部材４８に設けられている。また、水平部３２には、延出管４５と水平部３２とを連通する連通孔４９が設けられている。これ以外については、排水継手３０と同様である。
【００５５】
図１２に示すように、排水継手３０ｄの水平部３２には、水平部３２の外周面を覆うように円筒部材４８が設けられている。この円筒部材４８には、上方に向かって延出した管状の延出管４５が設けられている。延出管４５の上端には、上方に開口する掃除口４０が設けられている。なお、ここで「上方」とは、通常使用時に便器２０の便座２１に座った使用者からみた鉛直上方だけでなく、斜め上方も含む。例えば、管状の延出管４５の中心軸は、掃除口４０の中心を通るように設けられている。
【００５６】
図１３に示すように、水平部３２には連通孔４９が設けられている。連通孔４９は、上方に向かって開口する開口部であり、排水継手３０ｄを上方から見たときの左右方向に長い扁平形状の外形を有している。また、延出管４５の下端は下方に向かって開口しており、連通孔４９と連通している。これにより、延出管４５と水平部３２との管の内部が連通する。また、連通孔４９の短手方向の幅は、延出管４５の下端部の内径と同じ大きさである。
【００５７】
接続部３１と水平部３２と傾斜部３３の３部材と、円筒部材４８と、が別体で構成されているので、接続部３１と水平部３２と傾斜部３３の３部材を固定した状態で、軸線Ｐ１（水平部３２の中心軸）の周方向に円筒部材４８を回動させることが可能である。つまり、軸線Ｐ１（水平部３２の中心軸）の周方向に延出管４５を回動させることが可能である。
【００５８】
また、傾斜部３３には、延出管４５の回動角度を規制する回動角度規制部３５が設けられている。回動角度規制部３５は、排水継手３０ｄを前方から見たときの左方および右方における傾斜部３３の外周面から外周方向に向かって立ち上がるように形成され、一端が傾斜部３３から水平部３２に向かって延びるように形成されている。回動角度規制部３５の傾斜部３３から水平部３２に向かって延びている部分は、円筒部材４８の外周面に沿うように形成されている。
【００５９】
なお、この実施形態においては、排水継手３０ｄの接続部３１と水平部３２、もしくは、水平部３２と傾斜部３３、のどちらか一方が一体に形成されていてもよい。また、接続部３１と水平部３２と傾斜部３３との３部材を一体に形成し、円筒部材４８を例えば上下に分割して取り付けるようにしてもよい。
【００６０】
更に、他の実施形態について図１４から図１６を用いて説明する。排水継手３０の接続部３１、水平部３２、傾斜部３３が一体的に形成されている場合について説明する。また、掃除口４０の回転規制についても別実施例で説明する。なお、排水継手３０の接続部３１、水平部３２、傾斜部３３がそれぞれ、又は、部分的に別体に形成されていてもよい。
【００６１】
接続部３１、水平部３２、傾斜部３３は一体的に形成されている。傾斜部３３の後方には、蛇腹などの継手部３４（図示なし）が形成される。別実施形態では、傾斜部３３に掃除口４０が形成されている。しかしながら、掃除口４０は水平部３２に形成されていてもよい。また、掃除口４０には蓋１０２が設けられている。
【００６２】
一体的に形成された、接続部３１、水平部３２、傾斜部３３は、特に接続部３１及び水平部３２付近の外周から外周方向へ突出する鍔部８０を備える。鍔部８０は、接続部３１及び水平部３２の外周と略同一となっており、上方部だけ突出した突出部８２を有する。つまり、接続部３１及び水平部３２の外周縁が拡大したように、前方から見て円状に鍔部８０が形成されているが、上方部だけ鍔部８０の外径より大きく突出した突出部８２が形成されている。
【００６３】
鍔部８０の前方には挟持部９０が設けられる。挟持部９０は支持材１００（図１５）にネジによって取り付けられ、鍔部８０を挟持部９０と支持材１１０とで挟み込むようになっている。鍔部８０を挟み込むことで、排水継手３０が前後方向へ動くことを抑制している。
【００６４】
挟持部９０はＵ字状の形をした金属板で形成されている。挟持部９０の二つの端部に、回動角度規制部３５ａが設けられている。回動角度規制部３５ａは、挟持部９０の端部から、後方に向かって金属板が突出部８２を超える位置まで延びている。つまり、回動角度規制部３５ａは鍔部８０に向かって延出し、側面視で、突出部８２と重なる位置まで、金属板が延びている。そのため、排水継手３０を回転させると突出部８２と回動角度規制部３５ａが当たり、それ以上排水継手３０を回転できないよう規制できる。
【００６５】
図１５、１６から分かるように、支持材１００は、支持体７０にネジ固定される。支持材１００の前方に鍔部８０が配置されるように排水継手３０は配置される。更に挟持部９０が支持材１００にネジ固定される。この状態で、排水継手３０を左右方向へ回転させても、左右何れかの回動角度規制部３５ａに突出部８２が当たるので、排水継手３０はそれ以上回転することができない。
【００６６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便器２０、排水継手３０、掃除口４０および延出管４５などが備える各要素の形状、寸法、材質、配置などや便器２０、排水継手３０、掃除口４０および延出管４５の設置形態などは、例示したものに限定されるわけではなく、適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００６７】
１０〜１３    トイレユニット
２０    便器
２１    便座
２２    ボウル部
２３    排水管路
２４    上昇管部
２５    後側管部
２６    上面
３０    排水継手
３０ａ〜３０ｄ    排水継手
３１    接続部
３１ａ  便器側入口
３２    水平部
３３    傾斜部
３４    継手部
３４ａ  排水管側出口
３５    回動角度規制部
３５ａ  回動角度規制部
４０    掃除口
４３    ガイド部
４５    延出管
４６    上部
４７    下部
４８    円筒部材
４９    連通孔
５０    ケーシング
５１    前板
５２    上板
５３    点検口
６０    排水管
７０    支持体
７１    タンク
７２    洗浄管
７３    第１の給水管
７４    第２の給水管
７５    通気管
８０    鍔部
８２    突出部
９０    挟持部
１００    支持材
１０２    蓋
３１０    壁
３２０    床
Ｃ１    延出管の中心軸
Ｐ１    便器側入口と排水管側出口とを結ぶ軸線
【図１】
0006692523.tif 000002
【図２】
0006692523.tif 000003
【図３】
0006692523.tif 000004
【図４】
0006692523.tif 000005
【図５】
0006692523.tif 000006
【図６】
0006692523.tif 000007
【図７】
0006692523.tif 000008
【図８】
0006692523.tif 000009
【図９】
0006692523.tif 000010
【図１０】
0006692523.tif 000011
【図１１】
0006692523.tif 000012
【図１２】
0006692523.tif 000013
【図１３】
0006692523.tif 000014
【図１４】
0006692523.tif 000015
【図１５】
0006692523.tif 000016
【図１６】
0006692523.tif 000017